(57)【要約】      （修正有）【課題】本体自体は勿論、小さく折りたたんだ場合でもほとんど厚くならずに薄いシート状であり、カードケースなどの薄い物を収納する装身具実収納して簡便に携帯することが出来且つ何時でも何処でも確実な人工呼吸を行なうことが出来る人工呼吸用補助具を提供する。【解決手段】衛生的な呼気を通過させない可撓性の高いシート状体の中央部に一定の切り込みを設けるか、中央部を開口させて、その開口部に筒状体を突設させて人工呼吸用補助具を構成する。【選択図】図５
0003158211.tif 000002
【実用新案登録請求の範囲】
【請求項１】
人体に衛生的な害がない呼気を通過させない可撓性の高いシート状体の中央部に左右方向に一定長さの切り込みを設けた人工呼吸用補助用具。
【請求項２】
切り込みが十文字状の切り込みである請求項１の人工呼吸用補助用具。
【請求項３】
切り込みがほぼ六等分の間隔をあけた放射状の切り込みである請求項１の人工呼吸用補助用具。
【請求項４】
可撓性の高いシート状体の中央部を開口し、その開口部に一定長の筒状体を突設した請求項１の人工呼吸用補助具。
【請求項５】
切り込み又は筒状体の被救助者側のシート状体の周囲に剥離紙を介して接着剤層を設けた請求項１乃至４の人工呼吸用補助具。
【考案の詳細な説明】
【技術分野】
【０００１】  本考案は、人工呼吸法として一般的に行われている呼気吹き込み人工呼吸（マウスツーマウス）を行うに際し、救助者、即ち人工呼吸を施す者の口が被救助者、即ち人口呼吸を受ける者の口に直接接触することなく行える人工呼吸用補助具に関するものである。
【背景技術】
【０００２】  人工呼吸は仮死状態や窒息状態に陥った被救助者に緊急的に人工呼吸を施すものであるり、人の生命に直接且つ直ちにかかわるものであるので人工呼吸はそのための充分な装置がある場所で行うことが望ましいことは当然である。しかし、人工呼吸は緊急、即時性が何より要求されるものであるので、必要な装置のある場所まで被救助者を移動させるような悠長な余裕は少ないことが多く、措置の必要な場所で直ちに行われことが極めて重要である。【０００３】  従って、この種の人工呼吸が他の人体に対する措置に比べて非常に簡便、或いは他の用具を用いることなく措置が行なえることもあって、緊急の人工呼吸に対応できる人工呼吸のための用具がこれまで余り開発提供されてきていない事情があると推測される。
しかしながら簡便な措置を行なうことができる措置とはいえ、飽くまで生身の人体に対する措置であること、しかも人工呼吸は間に合わせに行なうようなものではないこと、更には人工呼吸がいつ何時発生するか知れないことに鑑みれば、人工呼吸のための用具はできるだけ常時携帯の邪魔にならずに携帯可能であり、人工呼吸がより応挙王的な措置であってもより的確に行なうことの出来る用具の提供が必要である。【０００４】  また特に応急的な人工呼吸は被救助者に対して救助者の口部を直接接触させて行なうことになるので、衛生的な点で問題があると同時に最近の細菌学的な状況からすると、簡便な人工呼吸用用具であっても救助者と被救助者の口部が直接接触しない対策が是が非でも必要となる。【０００５】
【先行技術文献】
【特許文献１】特開２００３−３１０７７４
【特許文献２】特開２００７−４４２９１
【特許文献３】特開２００１−７９０９１
【考案の概要】
【考案が解決しようとする課題】
【考案が解決しようとする課題】
【０００６】  本考案はこのような背景に鑑みより、簡単な構造であって簡便に携帯することが出来且つ確実な効果を期待することが出来る人工呼吸用補助具を提供する。
本考案においては、人工呼吸用補助具全体がシート状であること、また人工呼吸用補助具を小さく折りたたんだ場合でもほとんど厚くならずに薄いシート状であり、カードケース、パスケース、名刺入れ、財布などシート状のものを収納して携帯する装身具にも容易に収納可能であり、ひいては日常的な常時の携帯が極めて容易であることを最大の課題としている。これは予期しない場所、場合においても役立てることが出来るように常に携帯でき、その携帯をできるだけ邪魔にならない状態で出来るようにすることが目的であるからである。
【課題を解決するための手段】
【０００７】  本考案の人工呼吸用補助具は上記の課題を克服するために、人体に衛生的な害がない呼気を通過させない可撓性の高いシート状体の中央部に左右一定長さの切り込みを設けた。
人工呼吸用補助具の本体であるシート状体の大きさは特に制限はないが、被救助者の口のまわりを充分にカバーできる程度でなければならない。必要以上に大きいと携帯の容易性の障害となるので好ましくない。あまり小さいと人工呼吸時に人工呼吸用補助具がずれて人工呼吸が的確に行なえない虞があるの好ましくない。人の顔の平均的な横幅程度が好適である。
切り込みは十文字状あるいはほぼ六等分の間隔をあけた放射状のものとすることが出来る。【０００８】  可撓性の高いシート状体の中央部を開口し、その開口部に一定長の筒状体を突設したものとすることが出来る。筒状体の素材はシート状体と同じ素材、例えばシート状体を伸張させて形成することも出来るし、シート状体と同じ素材或いは別の素材により別体として筒状体をつくりこれをシート状体の開口部分に一体的に取り付けてもよい。ただしこの場合でも筒状体が充分な薄さと可撓性を有する必要があることは勿論である。
筒状体の断面形状は円形、楕円形、方形など筒状であればその形状に制限はない。【０００９】  筒状体は人工呼吸のときに被救助者の口内に挿入するためのものであるが、この筒状体は人工呼吸用補助具本体のシート状体の開口部分を進展させて形成することも出来るし、人工呼吸用補助具本体のシート状体と同等の素材で別体の筒状体をつくりこれを開口部に一体的に接合させることも出来る。しかし何れにしろ、この筒状体は携帯時には人工呼吸用補助具本体のシート状体に重ね合わさる状態であるので、人工呼吸用補助具そのまま或いは折りたたんだときにもほとんど厚くならず携帯のための収納の邪魔にならないことが重要である。【００１０】  人工呼吸用補助具の被救助者側の切り込み又は筒状体の周囲に剥離紙を介して接着剤層を設け、人工呼吸用補助具と特に被救助者の口の周りの部分が容易にずれることのないようにすることが好ましい。
この接着剤層は切り込みの上下に設けてあるが、上下のみならず左右に設けることが出来るし、場合によっては上下側を省略して左右側のみに設けてもよい。また、上下、左右において一方のみに設けてもよいがより確実な接着効果を得るためには上下、左右のいずれにおいても両方に設けることが好ましい。
この接着剤層も筒状体と同様にできるだけ薄いものにし、ほとんど厚くならず携帯のための収納の邪魔にならないことが重要である。
本考案の人工呼吸用補助具は原則的には使い捨てである。
【考案の効果】
【００１１】  本考案の人工呼吸用補助具は、そのままでも小さく折りたたんだときでも薄さを維持出来るように構成されているので、例えばカードケース、パスケース、名刺入れ、財布などシート状のものを収納して携帯するための身装品に収納して携帯することが出来るので携帯の邪魔になることがない。そのため誰でも簡便且つ容易に常時携帯することが出来るので緊急時に充分効果的な衛生的で的確な人工呼吸を行なうことを可能とするものである。
【図面の簡単な説明】
【００１２】
【図１】  本考案の人工呼吸用補助具の斜視図である。
【図２】  本考案の人工呼吸用補助具の斜視図である。
【図３】  本考案の人工呼吸用補助具の斜視図である。
【図４】  本考案の人工呼吸用補助具の斜視図である。
【図５】  本考案の人工呼吸用補助具の斜視図である。
【考案を実施するための形態】
【００１３】  本考案の人工呼吸用補助具は基本的に高い可撓性を有する人体に対する衛生的に害のないシート状体を用いて人の応急的人工呼吸のための補助具を形成するものである。
【実施例１】
【００１４】  図１は本考案の基本的な人工呼吸用補助具を示すものである。
図において１は人工呼吸用補助具本体、２は人工呼吸用補助具１のほぼ中央部に人工呼吸を受ける被救助者の口部に対応する部分に左右に一直線状に設けた一定長の直線状切り込みを形成したものであり、シート状体はポリエチレンフィルム製である。
人工呼吸用補助具の規模は１８ｃｍ（上下）×２０ｃｍ（左右）である。【００１５】  この人工呼吸用補助具は裏表自在であり、使用に当たってはどちら側を被救助者に対して用いてもよい。
この人工呼吸用補助具は左右一直線上の切込み部を被救助者の口部にあて、そのほぼ裏側に救助者の口部をあてて救助者がタイミングを計って被救助者の口腔内に空気を吹き込むことになる。
この人工呼吸用補助具は不使用時、即ち通常は携帯時においては例えば８つ折などにしても殆ど厚みは生じないので、パスケース、財布などに邪魔にならずに収納できる。
【実施例２】
【００１６】  図２は図１の人工呼吸用補助具の切込みを十文字形にしたものであり、他の構成は図１の人工呼吸用補助具と同じである。
【実施例３】
【００１７】  図３は図１の人工呼吸用補助具の切込みをほぼ６等分した放射状に切り込んだものであり、他の構成は図１の人工呼吸用補助具と同じである。
【実施例４】
【００１８】  図４は図１の人工呼吸用補助具の切込み２の被救助者側の周りに剥離紙を介して接着剤層３を貼り付けたものである。
この実施例においては切り込み２の上下左右に接着剤層３を４ヶ所設けてあるが、上記したようにこの接着剤層は場合によっては切り込みの上下左右のどちらかの組だけ設けてもよい。
【実施例５】
【００１９】  図５は図１の人工呼吸用補助具の切込みに代えて、切り込みに対応する中央部をほぼ円形に開口すると同時にその開口の周囲の片側、被救助者側にシート状体のその開口させた中央部分を伸張させて円筒形の筒状体３を形成したものである。
この実施例の人工呼吸用補助具は筒状体３に人差し指などを差し込んでその状態で筒状体部分を被救助者の口に挿入し人工呼吸用補助具をセットした後呼気を送り込む。【００２０】  この構成にした場合には、人工呼吸用補助具が被救助者の口内に確実に挿入されて固定され、ずれる虞がなく人工呼吸が的確に行なえる。
また被救助者の唾などが救助者に付着することがほぼ確実に防止できる。【００２１】  この実施例においては、更に被助者側の面に筒状体の周りに剥離紙を介して接着剤層を貼り付けることが出来、人工呼吸用補助具をより確実に被救助者の口部に固定することが出来る。この実施例の人工呼吸用補助具においては、筒状体が突出していて形状的には邪魔になるように考えられるが、筒状体はシート状体を伸張させて形成されているので筒状体は容易に変形し、折りたたんだときでも厚くならない。
剥離紙を介しての接着剤層を設ける場所は上記の実施例と同様とすることが出来る。
【符号の説明】
【００２２】１  人工呼吸用補助具
２  切込み
３  筒状体
【図１】
0003158211.tif 000003
【図２】
0003158211.tif 000004
【図３】
0003158211.tif 000005
【図４】
0003158211.tif 000006
【図５】
0003158211.tif 000007
【手続補正書】
【提出日】平成21年12月22日(2009.12.22)
【手続補正１】
【補正対象書類名】実用新案登録請求の範囲
【補正対象項目名】全文
【補正方法】変更
【補正の内容】
【実用新案登録請求の範囲】
【請求項１】
人体に衛生的な害がない呼気を通過させない可撓性の高いシート状体の中央部に左右方向に一定長さの切り込みを設けた人工呼吸用補助用具。
【請求項２】
切り込みが十文字状の切り込みである請求項１の人工呼吸用補助用具。
【請求項３】
切り込みがほぼ六等分の間隔をあけた放射状の切り込みである請求項１の人工呼吸用補助用具。
【請求項４】
可撓性の高いシート状体の中央部を開口し、その開口部に一定長の筒状体を突設した請求項１の人工呼吸用補助具。
【請求項５】
切り込み又は筒状体の被救助者側のシート状体の周囲に剥離紙を介して接着剤層を設けた請求項１〜４のいずれか一項に記載の人工呼吸用補助具。
【手続補正２】
【補正対象書類名】明細書
【補正対象項目名】全文
【補正方法】変更
【補正の内容】
【考案の詳細な説明】
【技術分野】
【０００１】  本考案は、人工呼吸法として一般的に行われている呼気吹き込み人工呼吸（マウスツーマウス）を行うに際し、救助者、即ち人工呼吸を施す者の口が被救助者、即ち人口呼吸を受ける者の口に直接接触することなく行える人工呼吸用補助具に関するものである。
【背景技術】
【０００２】  人工呼吸は仮死状態や窒息状態に陥った被救助者に緊急的に人工呼吸を施すものであり、人の生命に直接且つ直ちにかかわるものであるので人工呼吸はそのための充分な装置がある場所で行うことが望ましいことは当然である。しかし、人工呼吸は緊急、即時性が何より要求されるものであるので、必要な装置のある場所まで被救助者を移動させるような悠長な余裕は少ないことが多く、措置の必要な場所で直ちに行われことが極めて重要である。【０００３】  従って、この種の人工呼吸が他の人体に対する措置に比べて非常に簡便、或いは他の用具を用いることなく措置が行なえることもあって、緊急の人工呼吸に対応できる人工呼吸のための用具がこれまで余り開発提供されてきていない事情があると推測される。
しかしながら簡便な措置を行なうことができる措置とはいえ、飽くまで生身の人体に対する措置であること、しかも人工呼吸は間に合わせに行なうようなものではないこと、更には人工呼吸がいつ何時発生するか知れないことに鑑みれば、人工呼吸のための用具はできるだけ常時携帯の邪魔にならずに携帯可能であり、人工呼吸がより応挙王的な措置であってもより的確に行なうことの出来る用具の提供が必要である。【０００４】  また特に応急的な人工呼吸は被救助者に対して救助者の口部を直接接触させて行なうことになるので、衛生的な点で問題があると同時に最近の細菌学的な状況からすると、簡便な人工呼吸用用具であっても救助者と被救助者の口部が直接接触しない対策が是が非でも必要となる。【０００５】
【先行技術文献】
【特許文献１】特開２００３−３１０７７４
【特許文献２】特開２００７−４４２９１
【特許文献３】特開２００１−７９０９１
【考案の概要】
【考案が解決しようとする課題】
【考案が解決しようとする課題】
【０００６】  本考案はこのような背景に鑑みより、簡単な構造であって簡便に携帯することが出来且つ確実な効果を期待することが出来る人工呼吸用補助具を提供する。
本考案においては、人工呼吸用補助具全体がシート状であること、また人工呼吸用補助具を小さく折りたたんだ場合でもほとんど厚くならずに薄いシート状であり、カードケース、パスケース、名刺入れ、財布などシート状のものを収納して携帯する装身具にも容易に収納可能であり、ひいては日常的な常時の携帯が極めて容易であることを最大の課題としている。これは予期しない場所、場合においても役立てることが出来るように常に携帯でき、その携帯をできるだけ邪魔にならない状態で出来るようにすることが目的であるからである。
【課題を解決するための手段】
【０００７】  本考案の人工呼吸用補助具は上記の課題を克服するために、人体に衛生的な害がない呼気を通過させない可撓性の高いシート状体の中央部に左右一定長さの切り込みを設けた。
人工呼吸用補助具の本体であるシート状体の大きさは特に制限はないが、被救助者の口のまわりを充分にカバーできる程度でなければならない。必要以上に大きいと携帯の容易性の障害となるので好ましくない。あまり小さいと人工呼吸時に人工呼吸用補助具がずれて人工呼吸が的確に行なえない虞があるので好ましくない。人の顔の平均的な横幅程度が好適である。
切り込みは十文字状あるいはほぼ六等分の間隔をあけた放射状のものとすることが出来る。【０００８】  可撓性の高いシート状体の中央部を開口し、その開口部に一定長の筒状体を突設したものとすることが出来る。筒状体の素材はシート状体と同じ素材、例えばシート状体を伸張させて形成することも出来るし、シート状体と同じ素材或いは別の素材により別体として筒状体をつくりこれをシート状体の開口部分に一体的に取り付けてもよい。ただしこの場合でも筒状体が充分な薄さと可撓性を有する必要があることは勿論である。
筒状体の断面形状は円形、楕円形、方形など筒状であればその形状に制限はない。【０００９】  筒状体は人工呼吸のときに被救助者の口内に挿入するためのものであるが、この筒状体は人工呼吸用補助具本体のシート状体の開口部分を進展させて形成することも出来るし、人工呼吸用補助具本体のシート状体と同等の素材で別体の筒状体をつくりこれを開口部に一体的に接合させることも出来る。シート状体を二つ折りにして端部を接合したものを一枚状態にして一線状の切込みのところに付けることでもよい。また型を用いて筒状体を含めて人工呼吸用補助具全体を一体成形して形成してもよい。更に人工呼吸用補助具の素材に伸縮性の大きい素材を用いた場合には一線状の切込みに対応する箇所を所定の長さ突出するように押し出して伸張させ先端を切り取って筒状体を形成してもよい。
しかし何れにしろ、この筒状体は携帯時には人工呼吸用補助具本体のシート状体に重ね合わさる状態であるので、人工呼吸用補助具そのまま或いは折りたたんだときにもほとんど厚くならず携帯のための収納の邪魔にならないことが重要である。
この筒状体は使用時においては例えば指を中に挿入した後人工呼吸用補助具と一緒に指を被救助者の口内に入れて装着する。
口内に入っている筒状体は口内の唾によって口内に張り付き人工呼吸用補助具の装着が容易に外れないように口内に固定される。
また、本来的に人工呼吸用補助具は被救助者の口とその周辺が救助者の口とその周辺に直接触れることがなくひいては被救助者の唾、血液、嘔吐物などが救助者の口に入ったり或いはその周辺に付着することがなく、感染症などの被害を最大限に、殆ど完全に防ぐことが可能となる。【００１０】  人工呼吸用補助具の被救助者側の切り込み又は筒状体の周囲に剥離紙を介して接着剤層を設け、人工呼吸用補助具と特に被救助者の口の周りの部分が容易にずれることのないようにすることが好ましい。
この接着剤層は切り込みの上下に設けてあるが、上下のみならず左右に設けることが出来るし、場合によっては上下側を省略して左右側のみに設けてもよい。また、上下、左右において一方のみに設けてもよいがより確実な接着効果を得るためには上下、左右のいずれにおいても両方に設けることが好ましい。
接着剤層は被救助者の口の部分を除いて被救助者の口の周囲全体に例えば四角或いは楕円の枠上に設けてもよいし更に放出口シート状体全体を剥離紙つきのシート状体で作ってもよい。
この接着剤層も筒状体と同様にできるだけ薄いものにし、ほとんど厚くならず携帯のための収納の邪魔にならないことが重要である。
この実施例においては切り込み２の上下左右に接着剤層３を４ヶ所設けてあるが、上記したようにこの接着剤層は場合によっては切り込みの上下左右のどちらかの組だけ設けてもよい。
【考案の効果】
【００１１】  本考案の人工呼吸用補助具は、そのままでも小さく折りたたんだときでも薄さを維持出来るように構成されているので、例えばカードケース、パスケース、名刺入れ、財布などシート状のものを収納して携帯するための身装品に収納して携帯することが出来るので携帯の邪魔になることがない。そのため誰でも簡便且つ容易に常時携帯することが出来るので緊急時に充分効果的な衛生的で的確な人工呼吸を行なうことを可能とするものである。
また、筒状体を設けたものでは筒状体の働きによって人工呼吸用補助具が被救助者の口内に確実に固定され、被救助者の唾、血液、嘔吐物などが救助者の口に入ったり或いはその周辺に付着し救助者が感染症などに罹る虞を効果的に防止することが出来る。
【図面の簡単な説明】
【００１２】
【図１】  本考案の人工呼吸用補助具の斜視図である。
【図２】  本考案の人工呼吸用補助具の斜視図である。
【図３】  本考案の人工呼吸用補助具の斜視図である。
【図４】  本考案の人工呼吸用補助具の斜視図である。
【図５】  本考案の人工呼吸用補助具の斜視図である。
【考案を実施するための形態】
【００１３】  本考案の人工呼吸用補助具は基本的に高い可撓性を有する人体に対する衛生的に害のないシート状体を用いて人の応急的人工呼吸のための補助具を形成するものである。
【実施例１】
【００１４】  図１は本考案の基本的な人工呼吸用補助具を示すものである。
図において１は人工呼吸用補助具本体、２は人工呼吸用補助具１のほぼ中央部に人工呼吸を受ける被救助者の口部に対応する部分に左右に一直線状に設けた一定長の直線状切り込みを形成したものであり、シート状体はポリエチレンフィルム製である。
人工呼吸用補助具の規模は１８ｃｍ（上下）×２０ｃｍ（左右）である。【００１５】  この人工呼吸用補助具は裏表自在であり、使用に当たってはどちら側を被救助者に対して用いてもよい。
この人工呼吸用補助具は左右一直線上の切込み部を被救助者の口部にあて、そのほぼ裏側に救助者の口部をあてて救助者がタイミングを計って被救助者の口腔内に空気を吹き込むことになる。
この人工呼吸用補助具は不使用時、即ち通常は携帯時においては例えば８つ折などにしても殆ど厚みは生じないので、パスケース、財布などに邪魔にならずに収納できる。
【実施例２】
【００１６】  図２は図１の人工呼吸用補助具の切込みを十文字形にしたものであり、他の構成は図１の人工呼吸用補助具と同じである。
【実施例３】
【００１７】  図３は図１の人工呼吸用補助具の切込みをほぼ６等分した放射状に切り込んだものであり、他の構成は図１の人工呼吸用補助具と同じである。
【実施例４】
【００１８】  図４は図２の人工呼吸用補助具の切込み２の被救助者側の周りに剥離紙を介して接着剤層３を貼り付けたものである。
この実施例においては切り込み２の上下左右に接着剤層３を４ヶ所設けてあるが、上記したようにこの接着剤層は場合によっては切り込みの上下左右のどちらかの組だけ設けてもよい。
【実施例５】
【００１９】  図５は図１の人工呼吸用補助具の切込みに代えて、切り込みに対応する中央部をほぼ円形に開口すると同時にその開口の周囲の片側、被救助者側にシート状体のその開口させた中央部分を伸張させて円筒形の筒状体４を形成したものである。
この実施例の人工呼吸用補助具は筒状体４に人差し指などを差し込んでその状態で筒状体部分を被救助者の口に挿入し人工呼吸用補助具をセットした後呼気を送り込む。【００２０】  この構成にした場合には、人工呼吸用補助具が被救助者の口内に確実に挿入されて固定され、ずれる虞がなく人工呼吸が的確に行なえる。
また被救助者の唾などが救助者に付着することがほぼ確実に防止できる。【００２１】  この実施例においては、更に被助者側の面に筒状体の周りに剥離紙を介して接着剤層を貼り付けることが出来、人工呼吸用補助具をより確実に被救助者の口部に固定することが出来る。この実施例の人工呼吸用補助具においては、筒状体が突出していて形状的には邪魔になるように考えられるが、筒状体はシート状体を伸張させて形成されているので筒状体は容易に変形し、折りたたんだときでも厚くならない。
剥離紙を介しての接着剤層を設ける場所は上記の実施例と同様とすることが出来る。
【符号の説明】
【００２２】１  人工呼吸用補助具
２  切込み
３  接着剤層
４  筒状体